(57)【要約】【課題】通常のオートフォーカスセンサを使って、通常およびマクロ双方の撮影での測距と撮影を可能にする、簡易な方式の映像撮影装置を提供する。【解決手段】撮影レンズ３に近接して配設され被写体からの入射光を受けて距離を測り測距評価値を出力するオートフォーカスセンサ１と、光を透過し屈折させる屈折手段（測距範囲補正プリズム）２とを備え、屈折手段２がマクロ撮影時にのみ、オートフォーカスセンサ１への入射光が透過する透過位置に移動して入射光を屈折することによって、オートフォーカスセンサ１の測距範囲を補正する。【選択図】　　　　図３
2004012942.tif 000002
【特許請求の範囲】
【請求項１】
撮影レンズに近接して配設され被写体からの入射光を受けて距離を測り測距評価値を出力するオートフォーカスセンサと、
光を透過し屈折させる屈折手段とを備え、
前記屈折手段がマクロ撮影時にのみ、前記オートフォーカスセンサへの入射光が透過する透過位置に移動して前記入射光を屈折することによって、前記オートフォーカスセンサの測距範囲を補正することを特徴とする映像撮影装置。
【請求項２】
さらに、前記屈折手段が前記透過位置にあることを検知して、前記オートフォーカスセンサの測距評価値をマクロ撮影用の評価値に換算する換算手段を備えたことを特徴とする請求項１に記載の映像撮影装置。
【請求項３】
さらに、前記撮影レンズを覆って保護し、撮影時に移動して前記撮影レンズを露出させるバリアと、
マクロ撮影時に、前記バリアの移動によって前記屈折手段が前記透過位置に移動するよう、前記バリアおよび前記屈折手段を係合させる係合手段と、
を備えたことを特徴とする請求項１または２に記載の映像撮影装置。
【請求項４】
さらに、前記係合手段が、
非撮影時には前記屈折手段を所定の位置に格納し、
通常撮影時には前記屈折手段を所定の位置に格納したまま前記バリアが前記撮影レンズを露出させ、
マクロ撮影時には前記バリアがさらに移動して前記屈折手段を前記透過位置にまで移動させるように、
前記バリアと前記屈折手段とを係合していることを特徴とする請求項３に記載の映像撮影装置。
【請求項５】
さらに、前記屈折手段と一体的に配設され、前記屈折手段とともに移動してマクロ撮影時にストロボの発光を調整するストロボ拡散板を備えたことを特徴とする請求項１乃至４の何れかに記載の映像撮影装置。
【請求項６】
さらに、前記屈折手段と一体的に配設され、前記屈折手段とともに移動してマクロ撮影時にファインダ視野を調整するファインダ視野マスクを備えたことを特徴とする請求項１乃至５の何れかに記載の映像撮影装置。
【発明の詳細な説明】
【０００１】
【発明の属する技術分野】
本発明は映像撮影装置に関し、特にオートフォーカス機能およびマクロ撮影機能を備えた映像撮影装置に関し、さらに特にはオートフォーカス機能およびマクロ撮影機能を備えたデジタルカメラの映像撮影装置に関する。
【０００２】
【従来の技術】
従来、一般のカメラでは、オートフォーカス（ＡＦ）センサを撮影レンズに近接した位置に配置して、ＡＦセンサの測距評価値によって、撮影レンズのフォーカスを合焦させている。図１は一般の映像撮影装置が通常撮影状態でＡＦセンサを適正に働かせて測距する例を示す模式図である。ここで通常状態とは、マクロ撮影状態でない状態をいう。符号については、１はオートフォーカスセンサ、３は撮影レンズ、そして２１は被写体である。図に示すように、ＡＦセンサ１は撮影レンズ３に近接して配設されている。そして、離れた場所にある被写体２１（マクロ撮影ではない通常撮影状態の被写体）が適正に合焦される。
図２は、一般の映像撮影装置が通常撮影状態で、かつマクロ範囲のＡＦセンサを働かせて測距したＮＧ例を示す模式図である。符号については、２２が近接位置にあってマクロ撮影される被写体である。図２に示すように、近距離のマクロ範囲の撮影においては、近距離位置にある被写体２２は、ＡＦセンサの測距範囲外となってしまい、適正に測距できず、測距評価値が出てこないので撮影不能になってしまう。
【０００３】
【発明が解決しようとする課題】
この対策として従来の一眼レフタイプのカメラでは、例えば撮影レンズの内部にハーフミラー等を配置して、撮影レンズを通した画像を内部に配置したＡＦセンサに導くことでマクロ領域もカバーしている機種がある。しかし、内部にハーフミラー等を配置すると、撮影レンズがかなり大きくなってしまい、部品コストも増大するため、安価なカメラにおいてはコストがかかってしまうのでコスト的に採用が難しい。
あるいはまた従来のデジタルカメラでは、マクロ撮影時は撮影に使用するＣＣＤの出力信号を利用して、撮影レンズのマクロ領域の全域をスキャンして合焦位置を検出する方式が採用されているが、全域スキャンに時間がかかり、かなりのシャッターラグが発生してしまう。
本発明は以上の問題点に鑑みてなされ、その目的は、通常のＡＦセンサのみを使って、通常およびマクロ撮影での測距と撮影を可能とする簡易な構造の映像撮影装置を安価に提供することである。
【０００４】
【課題を解決するための手段】
請求項１の発明は、撮影レンズに近接して配設され被写体からの入射光を受けて距離を測り測距評価値を出力するオートフォーカスセンサと、光を透過し屈折させる屈折手段とを備え、前記屈折手段がマクロ撮影時にのみ、前記オートフォーカスセンサへの入射光が透過する透過位置に移動して前記入射光を屈折することによって、前記オートフォーカスセンサの測距範囲を補正することを特徴とする映像撮影装置である。
このような構成によって、通常の高速測距可能なＡＦセンサを使って、マクロ撮影状態での測距範囲を補正することができる映像撮影装置を提供可能にした。
【０００５】
請求項２の発明は、請求項１に記載の映像撮影装置において、さらに、前記屈折手段が前記透過位置にあることを検知して、前記オートフォーカスセンサの測距評価値をマクロ撮影用の評価値に換算する換算手段を備えたことを特徴とする。
このような構成によって、通常の高速測距可能なＡＦセンサと屈折手段を使って測距範囲を補正すると共に、その測距評価値をマクロ撮影状態の測距評価値に換算する、簡便な方式でマクロ撮影できる映像撮影装置を提供可能にした。
【０００６】
請求項３の発明は、請求項１または２に記載の映像撮影装置において、さらに、前記撮影レンズを覆って保護し、撮影時に移動して前記撮影レンズを露出させるバリアと、マクロ撮影時に、前記バリアの移動によって前記屈折手段が前記透過位置に移動するよう、前記バリアおよび前記屈折手段を係合させる係合手段と、を備えたことを特徴とする。
このような構成によって、撮影レンズを覆うバリアを操作するだけで、通常撮影とマクロ撮影とを簡単に切り替えることができる映像撮影装置を提供可能にした。
【０００７】
請求項４の発明は、請求項３に記載の映像撮影装置において、さらに、前記係合手段が、非撮影時には前記屈折手段を所定の位置に格納し、通常撮影時には前記屈折手段を所定の位置に格納したまま前記バリアが前記撮影レンズを露出させ、マクロ撮影時には前記バリアがさらに移動して前記屈折手段を前記透過位置にまで移動させるように、前記バリアと前記屈折手段とを係合していることを特徴とする。
このような構成によって、マクロ撮影のための屈曲手段を非撮影時および通常撮影時には安全にカメラのフレーム内部に格納しておき、マクロ撮影の時だけ移動するので、安全性の高い簡便な方式によってマクロ撮影が可能となる映像撮影装置を提供可能になる。
【０００８】
請求項５の発明は、請求項１乃至４に記載の映像撮影装置において、さらに、前記屈折手段と一体的に配設され、前記屈折手段とともに移動してマクロ撮影時にストロボの発光を調整するストロボ拡散板を備えたことを特徴とする。
このような構成によって、ＡＦ補正のための屈折手段とマクロ用ストロボ拡散板とを一体構成にしたことで、マクロ撮影で発生するストロボの白飛びを自動的に防止することができる映像撮影装置を提供可能になる。
【０００９】
請求項６の発明は、請求項１乃至５に記載の映像撮影装置において、さらに、前記屈折手段と一体的に配設され、前記屈折手段とともに移動してマクロ撮影時にファインダ視野を調整するファインダ視野マスクを備えたことを特徴とする。このような構成によって、ＡＦ補正補正のための屈折手段とマクロ用ファインダ視野マスクとを一体構成にしたことで、マクロ撮影で発生するファインダのパララクスを自動的に防止できる映像撮影装置を提供可能になる。
【００１０】
【発明の実施の形態】
以下、図を参照しながら本発明の実施の形態を説明する。
本実施の形態は、撮影レンズに近接して配設され被写体からの入射光を受けて距離を測り測距評価値を出力するオートフォーカスセンサと、光を透過し屈折させる屈折手段と、を備え、屈折手段がマクロ撮影時にのみ、オートフォーカスセンサへの入射光が透過する透過位置に移動して入射光を屈折することによって、オートフォーカスセンサの測距範囲を補正することを特徴とする映像撮影装置である。
図３は、本実施の形態による映像撮影装置を組み込んだカメラが、バリアを閉じた状態にあることを示す模式的平面図である。符号については、１はオートフォーカスセンサ、２は測距範囲補正プリズム（請求項における屈折手段）、３は撮影レンズ、４はバリア、５はプリズム枠、６はストロボ、７は拡散板、８はファインダ、９はマクロ用視野マスク、１０はスプリング、１１はスイッチ、１２はアーム部、１３は係止部、１４および１７はスプリング１０の接続部、１８はスリット、そして４０はフレームである。この状態で撮影レンズ３はバリア４によって覆われている。
ここで、測距範囲補正プリズムは上記のように請求項における屈折手段であり、例えば、屈折率を連続的に変化させて形成された厚みの均一な板状の屈折手段などを用いても良い。
ここでプリズム枠５は図３の点線で示されるように、図の左右方向に伸びる板状の枠体であり、レンズ３の面に並んで設けられる。プリズム枠５はアーム部１２ａおよび１２ｂを有し、アーム部１２ａおよび２１ｂの先端付近にはそれぞれ係止部１３および１４を有する。
【００１１】
図４は、図３のバリアとプリズム枠とをＡ−Ａ断面で切って位置関係を示す模式的断面図である。符号については、１５と１６とは、バリア４側の係止部である。撮影レンズ３を保護しているバリア４の断面形状はこの場合、略コの字型をしており、その広い面から曲げられた壁部の一部でもって係止部１５および１６が形成される。プリズム枠５側の係止部１３は、アーム部１２ａから突出して、上記の係止部１５、さらには係止部１６と係合する。しかし、これらの係止部は上記の形状に限定されるものではなく、上記のように係止機能を果たせばよい。係止部１３、１５、および１６によって請求項の係合手段が構成される。フレーム４０に設けられたスリット１８は、プリズム枠５の移動をガイドするために設けられるのが好ましい。ここに示された係合手段は、請求項の効果を奏するための一例であり、そのような効果を奏するための構成であれば、常法で可能などのような構成であっても良い。
【００１２】
図３および４に示されるように、バリア４が閉じられた状態ではプリズム枠５側の係止部１３は、バリア側の係止部１５に接している。バリア４は撮影しないときは閉じられて、レンズ３を保護している。矢印Ｂは、バリア４の開く方向である。
プリズム枠５には、接続部１４が設けられ、またフレーム４０には接続部１７が設けられ、それぞれスプリング１０と接続する。こうしてスプリング１０は、プリズム枠５を図中右方向へ（即ち矢印Ｂと反対方向へ）と付勢する。
【００１３】
プリズム枠５の一部には、測距範囲補正プリズム２が固着されている。また、マクロ撮影に必要なストロボ６の拡散板７や、ファインダ８の視野枠のマクロ用視野マスク９も、上記プリズム枠５の一部に一体的に配置されることが好ましい。補正プリズム２、拡散板７、およびマスク９が、枠体であるプリズム枠５に固着されてバリア４の移動にともなって移動して、後述するマクロ撮影のための条件を整えることができるからである。
【００１４】
図５は、本実施の形態による映像撮影装置を組み込んだカメラがバリアを開けて、通常撮影モードになった状態を示す模式的平面図である。即ち、マクロではない通常の撮影時には、バリア４を閉状態から通常撮影位置にまでスライドさせて撮影レンズ３を露出させる。しかし、通常撮影位置では、バリア４はプリズム枠５をまだ移動させない。そのためにマクロ撮影に必要な測距の補正プリズム２、ストロボ光の拡散板７、および視野を補正するマスク９は移動せず、フレーム４０内の所定の位置に留まったままで、それにより安全に格納されている。こうして、マクロ撮影ではない通常の撮影を行う。ここで、プリズム枠５は、常に図中右方向にスプリング１０によって付勢されていて、ＡＦ補正プリズム２は、マクロ撮影のための請求項における透過位置には配置されていない。
【００１５】
図６は、本実施の形態による映像撮影装置を組み込んだカメラのバリアを、さらに開けてマクロ撮影状態にした模式的平面図である。
図７は、本実施の形態による映像撮影装置のマクロ用ＡＦ測距補正プリズムがマクロ撮影時に透過位置に移動して測距する例を示す模式図である。
マクロ撮影時には、撮影レンズ３に近接して配置されたＡＦセンサ１の被写体２２側の面上（請求項における透過位置）に、測距範囲補正用のプリズム２が移動される。こうして近接位置の被写体の透過光が透過する位置に補正用プリズム２が位置することによって、その屈折作用によって、マクロ時においても測距範囲が補正されて、測距可能となる。
それとともに、測距評価値を補正して換算する、例えばマイコンのような換算手段（不図示）を備えることが望ましい。補正された測距範囲における測距評価値を、マクロ撮影状態の測距評価値に換算するためである。このような換算手段は常法を用いることで可能である。
【００１６】
ここでマクロ撮影のためのプリズム２を移動するために、撮影レンズを保護するバリアと、そのバリアとプリズム２との係合手段を備えることが望ましい。バリアを動かすという撮影操作上自然な操作によってマクロ撮影状態に移行できるからである。
また、通常撮影の時にはプリズムが移動せずにフレーム内に格納されていて、マクロ撮影時にさらにバリアを移動して初めてプリズムが請求項における透過位置に移動してマクロ撮影状態に入ることが望ましい。通常撮影状態ではプリズムが動かなく格納されている方が安全性が高まるからである。
マクロ撮影時には、通常撮影モードにおけるバリア４を、スプリング１０による付勢に逆らって、更にスライドさせる。プリズム枠５とバリア４は非撮影時には、係止部１３およびバリア側の１５を介して係止されているが、バリア４がＢ方向に移動し、通常撮影モードになると係止部１６が係止部１３に接近する。この時、係止部１６および１３は互いに接しても良い。更なるバリア４のスライドによって、バリア４の係止部１６はスプリング１０の付勢に逆らってプリズム枠５の係止部１３をＢ方向に移動させる。こうしてスリット１８の間を係止部１３が移動する。スリット１８はまた、バリア５およびプリズム枠５の移動をガイド可能なように構成されても良い。
【００１７】
その結果、プリズム枠５はＢ方向に移動する。そしてプリズム枠５と一体的に配設されているＡＦ測距範囲補正プリズム２、拡散板７、およびマクロ用視野マスク９が、一体的に固着されているときは、同時に移動する。マクロ撮影の簡便な操作のために、一体的に構成されていることは好ましい。一体的に構成されていなくても、バリアの連動を上記のように行う構成は、他の常法でも可能である。
こうして、ＡＦセンサ１の前面にＡＦ測距範囲補正プリズム２が移動して覆い、請求項における透過位置に配設されることになる。また、ファインダ８にはマクロ用視野マスク９がかかり、またストロボ６の前面にはマクロ用ストロボ拡散板７が配置されることになる。こうして適正なマクロ撮影状態となり簡易な操作によってマクロ撮影が可能となる。
【００１８】
ここで再び、通常の撮影状態に戻すにはバリア４をＢ方向と逆に移動させ、通常撮影状態に戻すことにより、バリア４に係止しているプリズム枠５もスプリング１０の付勢力により通常撮影状態に戻る。即ち、ＡＦ測距範囲補正プリズム２をカメラ内部の所定の位置に格納する。それ故、プリズム枠５に一体構造で搭載されていればマクロ用視野マスク９、およびマクロ用ストロボ拡散板７は補正プリズム２とともに通常撮影状態に戻される。この所定の位置に戻ることにより、カメラのフレーム４０内部に安全に格納される。
【００１９】
撮影終了は、バリア４を更に閉方向に移動させて、撮影レンズ５を覆うことで撮影を終了できる。既に安全に所定の位置に格納されている上記のプリズム枠５およびそこに固着されたプリズム２などは引き続き安全に格納された状態に保たれる。
マクロ撮影時には図７に示すように、ＡＦ測距範囲補正プリズム２で被写体像を屈折させてＡＦセンサ１上で結像させているので、プリズム２を使用している場合はＡＦセンサ１の測距評価値を補正する換算手段（不図示）を備えることが望ましい。マクロ測距評価値に換算するためである。
また、プリズム枠５がマクロ位置にあることを検知するスイッチ１１を配置して、そのスイッチ１１のＯＮ／ＯＦＦによってＡＦセンサ１の評価値にＡＦ測距範囲補正プリズム２を使用した補正換算をした評価値に変換するか否かを判定することが望ましい。その一例は、図６に示すように、例えば、アーム部１３がスイッチ１１を押してＯＮとして、プリズム５が透過位置にあることを検知するように構成することもできる。
【００２０】
以上により、本発明のデジタルカメラでは高速測距可能なＡＦセンサを使う
簡便な方式で通常撮影状態及びマクロ撮影状態の双方の測距を可能にした。また、撮影レンズのバリアの作動だけで通常撮影とマクロ撮影とを簡単に切り替えることができる。さらに、マクロ撮影に必要なＡＦ補正プリズム、マクロ用ファインダ視野マスク、マクロ用ストロボ拡散板を一体構成にしたことで、マクロ撮影で発生するファインダのパララクスやストロボの白飛びを、簡易な操作で同時に防止することができる。
【００２１】
【発明の効果】
請求項１にかかる発明によると、マクロ用ではない通常の高速測距可能なＡＦセンサと屈折手段とを使って、マクロ撮影状態の測距を補正することができる簡易な方式の映像撮影装置を提供可能である。
請求項２にかかる発明によると、マクロ用ではない通常の高速測距可能なＡＦセンサと屈折手段とを使って測距範囲を補正し、その測距評価値をマクロ撮影状態の測距評価値に換算でき簡便な方式でマクロ撮影状態に移行できる映像撮影装置を提供可能である。
請求項３にかかる発明によると、撮影レンズを覆うバリアを操作するだけで、通常撮影とマクロ撮影とを切り替えることができる簡易な方式の映像撮影装置を提供可能である。
請求項４にかかる発明によると、マクロ撮影のための屈曲手段を非撮影時および通常撮影時に安全にカメラのフレーム内に格納しておくことができる、安全性の高い簡便な方式によってマクロ撮影ができる映像撮影装置を提供可能である。請求項５にかかる発明によると、ＡＦ補正プリズムとマクロ用ストロボ拡散板とを一体構成にすることにより、簡易な方式でマクロ撮影で発生するストロボの白飛びを防止できる映像撮影装置を提供可能である。
請求項６にかかる発明によると、ＡＦ補正プリズムとマクロ用ファインダ視野マスクとを一体構成にすることにより、簡易な方式でマクロ撮影で発生するファインダのパララクスを防止できる映像撮影装置を提供可能である。
【図面の簡単な説明】
【図１】映像撮影装置が通常撮影状態で、ＡＦセンサを働かせて測距する例を示す模式図である。
【図２】映像撮影装置が通常撮影状態で、マクロ範囲のＡＦセンサを働かせて測距した失敗例を示す模式図である。
【図３】本発明の実施の形態による映像撮影装置を組み込んだカメラがバリアを閉じた状態を示す模式的平面図である。
【図４】図３のＡ−Ａ線断面図である。
【図５】本発明の実施の形態による映像撮影装置を組み込んだカメラが、バリアを開けて通常撮影状態になったことを示す模式的平面図である。
【図６】本発明の実施の形態による映像撮影装置を組み込んだカメラが、バリアをさらに開けてマクロ撮影状態になったことを示す模式的平面図である。
【図７】本発明の実施の形態による映像撮影装置のマクロ用ＡＦ測距範囲補正プリズムを用いてマクロ撮影する状態を示す模式図である。
【符号の説明】
１　　オートフォーカスセンサ
２　　測距範囲補正プリズム
３　　撮影レンズ
４　　バリア
５　　プリズム枠
６　　ストロボ
７　　拡散板
８　　ファインダ
９　　マクロ用視野マスク
１０　　スプリング
１１　　スイッチ
１２ａ、１２ｂ　　　接続部
１３、１５、１６　　係止部
１８　　スリット
２１　　通常撮影時の被写体
２２　　マクロ撮影時の被写体
４０　　フレーム
【図１】
2004012942.tif 000003
【図２】
2004012942.tif 000004
【図３】
2004012942.tif 000005
【図４】
2004012942.tif 000006
【図５】
2004012942.tif 000007
【図６】
2004012942.tif 000008
【図７】
2004012942.tif 000009